(57)【特許請求の範囲】
【請求項１】
室外の空気を室内へ供給するための給気通路と、室内の空気を室外へ排気するための排気通路とが独立状態に箱体内に画成され、前記排気通路には排気流を形成する排気用送風機が、前記給気通路には給気流を形成する給気用送風機がそれぞれ組み込まれ、前記給気通路と前記排気通路のそれぞれの一部が内蔵された熱交換器の二系統の作動流体通路でそれぞれ構成され、排気流と給気流との間で連続的な熱交換が可能に構成された熱交換換気装置であって、前記排気通路の前記排気用送風機と前記熱交換器の前記作動流体通路の出口側との間の部分に通ずる開口部を前記箱体の一側に開設し、この開口部にはこれを開閉する開閉手段を設けた熱交換換気装置。
【請求項２】
請求項１に記載の熱交換換気装置であって、熱交換器を六面体の積層構造となすとともに、その作動流体通路の臨まない二面の小口側の外箱に、それぞれその熱交換器の出し入れの可能なメンテナンス口を設けた熱交換換気装置。
【請求項３】
請求項１に記載の熱交換換気装置であって、熱交換器を六面体の積層構造となすとともに、排気通路の室内の空気の吸込口を箱体の下部に設け、この吸込口から熱交換器を出し入れできるように構成した熱交換換気装置。
【請求項４】
請求項１又は請求項２のいずれかに記載の熱交換換気装置であって、開口部と排気通路の室内の空気の吸込口を箱体の外部で連通させうる風路構成部材を備えた熱交換換気装置。
【請求項５】
室外の空気を室内へ供給するための給気通路と、室内の空気を室外へ排気するための排気通路とが独立状態に箱体内に画成され、前記排気通路には排気流を形成する排気用送風機が、前記給気通路には給気流を形成する給気用送風機がそれぞれ組み込まれ、前記給気通路と前記排気通路のそれぞれの一部が内蔵された熱交換器の二系統の作動流体通路でそれぞれ構成され、排気流と給気流との間で連続的な熱交換が可能に構成された熱交換換気装置であって、前記給気通路の前記給気用送風機と前記熱交換器の前記作動流体通路の出口側との間の部分に通ずる開口部を前記箱体の一側に開設し、この開口部にはこれを開閉する開閉手段を設けた熱交換換気装置。
【請求項６】
請求項５に記載の熱交換換気装置であって、前記排気通路の前記排気用送風機と前記熱交換器の前記作動流体通路の出口側との間の部分に通ずる開口部を箱体の一側に開設し、この開口部にはこれを開閉する開閉手段を設けた熱交換換気装置。
【発明の詳細な説明】
【０００１】
【発明の属する技術分野】
本発明は給排気流間で熱交換を行ないながら換気する熱交換換気装置に関するものである。
【０００２】
【従来の技術】
従来の熱交換換気装置は、例えば特公平５―６１５４２号公報に示されているような構成である。即ち、図１１に示すように外箱を構成する本体箱体４６内に室外の新鮮な空気を室内へ供給するための給気通路と、室内の空気を室外へ排気するための排気通路とが仕切壁等により全経路において独立状態に画成されている。排気通路には排気流を形成する排気用送風機４７が、また、給気通路には給気流を形成する給気用送風機４８が組み込まれている。給気通路と排気通路のそれぞれの一部は内蔵された積層型の熱交換器４９の二系統の作動流体通路でそれぞれ構成され、排気流と給気流との間で連続的な熱交換が可能に構成されている。
【０００３】
熱交換器４９は、伝熱性を持つ（通湿性を併せ持つ場合もある）仕切板をコルゲート状の間隔板を挟んで積層し、一層おきに一次側の作動流体通路と二次側の作動流体通路が交互に構成された六面体のブロック状に形成されている。排気通路には熱交換器の作動流体通路を迂回し、ダンパーにより開閉できるバイパス通路が熱交換器の一方の小口側に形成されていて、このバイパス通路を開放することにより熱交換を伴わない普通換気を行なうことができる。この種の熱交換換気装置は、その多くが天井裏等の空間に設置され装置への空気の吸込み及び送出は全てダクトを介して行なわれる構成である。
【０００４】
【発明が解決しようとする課題】
上記のような状態の熱交換換気装置において、熱交換換気も普通換気も行なうことができるもののバイパス通路分、装置の寸法が大きくなるといった問題点がある。熱交換換気機能に限定すれば装置は小型化できるが、外気冷房等を行なうことができる普通換気機能は利便性があり確保すべき機能である。しかしながら、最近の天井裏の空間は、空調機器の吊りボルトや照明機器の配線や排煙に関するセンサ等種々の設備が多く存在し、こうした設備と競合することを少なくする小型化の要請は強く、沢山のダクト配管を必要とすることに対しても工夫を迫られている。また、天井裏に設置してしまうと、装置は隠れてしまいメンテナンスがし難いといった問題点がある。
【０００５】
本発明は上記した従来の問題点を解消するためになされたもので、その課題とするところは、熱交換換気装置の小型化を推進することであり、熱交換換気装置のダクト配管の低減を図ることであり、熱交換換気装置のメンテナンス性の向上を推進することであり、熱交換換気装置の機能の向上を図ることである。
【０００６】
【課題を解決するための手段】
前記課題を達成するために請求項１の発明は、室外の空気を室内へ供給するための給気通路と、室内の空気を室外へ排気するための排気通路とが独立状態に箱体内に画成され、排気通路には排気流を形成する排気用送風機が、給気通路には給気流を形成する給気用送風機がそれぞれ組み込まれ、給気通路と排気通路のそれぞれの一部が内蔵された熱交換器の二系統の作動流体通路でそれぞれ構成され、排気流と給気流との間で連続的な熱交換が可能に構成された熱交換換気装置について、その排気通路の排気用送風機と熱交換器の作動流体通路の出口側との間の部分に通ずる開口部を箱体の一側に開設し、この開口部にこれを開閉する開閉手段を設ける手段を採用する。
【０００７】
前記課題を達成するために請求項２の発明は、請求項１に係る前記手段における熱交換器を六面体の積層構造となし、その作動流体通路の臨まない二面の小口側の外箱に、それぞれ熱交換器の出し入れの可能なメンテナンス口を設ける手段を採用する。
【０００８】
前記課題を達成するために請求項３の発明は、請求項１に係る前記手段における熱交換器を六面体の積層構造となし、排気通路の室内の空気の吸込口を箱体の下部に設け、この吸込口から熱交換器を出し入れできるように構成する手段を採用する。
【０００９】
前記課題を達成するために請求項４の発明は、請求項１又は請求項２のいずれかに係る前記手段における開口部と排気通路の室内の空気の吸込口を箱体の外部で連通させうる風路構成部材を備える手段を採用する。
【００１０】
前記課題を達成するために請求項５の発明は、室外の空気を室内へ供給するための給気通路と、室内の空気を室外へ排気するための排気通路とが独立状態に箱体内に画成され、排気通路には排気流を形成する排気用送風機が、給気通路には給気流を形成する給気用送風機がそれぞれ組み込まれ、給気通路と排気通路のそれぞれの一部が内蔵された熱交換器の二系統の作動流体通路でそれぞれ構成され、排気流と給気流との間で連続的な熱交換が可能に構成された熱交換換気装置について、その給気通路の給気用送風機と熱交換器の作動流体通路の出口側との間の部分に通ずる開口部を箱体の一側に開設し、この開口部にはこれを開閉する開閉手段を設ける手段を採用する。
【００１１】
前記課題を達成するために請求項６の発明は、請求項５に係る前記手段における排気通路の排気用送風機と熱交換器の作動流体通路の出口側との間の部分に通ずる開口部を箱体の一側に開設し、この開口部にはこれを開閉する開閉手段を設ける手段を採用する。
【００１２】
【発明の実施の形態】
以下、本発明の実施の形態を図面に基づいて説明する。
実施の形態１．
図１〜図４はこの実施の形態１の熱交換換気装置を示したものである。この熱交換換気装置は、直方体の箱構造の本体箱体１内に積層型で六面体の熱交換器２と給気用送風機３と排気用送風機４とを組込んだ構成である。本体箱体１内には熱交換器２の一方の作動流体通路を介して連続する、一次気流である排気流を通す排気通路５と、熱交換器２の他方の作動流体通路を介して連続する、二次気流である給気流を通す給気通路６とが互いに全経路にわたり独立状態に構成されている。
【００１３】
熱交換器２は、本体箱体１内のほぼ中央において対向する二つの陵角部が上下に向き、閉塞した小口７が本体箱体１の内側面に向くように幅方向に抜き差し可能に組込まれている。熱交換器２の給気通路６に連絡する作動流体通路の出口端と入口端は、対向する二面にそれぞれ開口し、排気通路５に連絡するもう一方の作動流体通路の出口端と入口端は、他の対向する二面にそれぞれ開口している。熱交換器２の二面の小口７を除く他の四面の境界部となる四つの稜角部は熱交換素子を保持する保持枠により構成され、この保持枠にはそれぞれアングル状のフィルター装着レールが対向状に設けられ、熱交換器２の双方の小口７側からの抜き差しによりフィルターを脱着することができるように構成されている。
【００１４】
本体箱体１の一側の熱交換器２の二面の小口７が臨む部分には熱交換器２及びフィルターを出し入れできる蓋付きのメンテナンス口８が開設され、いずれのメンテナンス口８からでも熱交換器２等のメンテナンスが行なえるよう構成されている。本体箱体１内に構成された室外の新鮮な空気を室内へ供給するための給気通路６の入口端は、本体箱体１の一側に開設された室外側吸込口９で、ダクト接続可能に構成され、その出口端は、本体箱体１の他側に開設された室内側吹出口１０で、ダクト接続可能に構成されている。
【００１５】
また、室内の空気を室外へ排気するための排気通路５の入口端は、本体箱体１の他側に開設された室内側吸込口１１で、ダクト接続可能に構成され、その出口端は、本体箱体１の一側に開設された室外側吹出口１２で、ダクト接続可能に構成されている。本体箱体１の一側には排気通路５の排気用送風機４と熱交換器２の作動流体通路の出口側との間の部分に通ずる開口部１３が開設され、この開口部１３にはこれを開閉するスライド式のダンパー１４が設けられ、通常はダンパー１４により図１に示すように開口部１３は閉止されている。なお、開口部１３には着脱可能のフィルター（図示しない）が装着されている。このようにこの熱交換換気装置は、給気通路６と排気通路５のそれぞれの一部が内蔵された積層型の熱交換器２の二系統の作動流体通路でそれぞれ構成され、排気流と給気流との間で連続的な熱交換が可能である。
【００１６】
即ち、排気通路５の室内側吸込口１１から吸込まれた室内空気は、排気流として排気通路５を流れ熱交換器２の作動流体通路を通過して、排気用送風機４を経て排気通路５の室外側吹出口１２から吹き出される。また、給気通路６の室外側吸込口９から吸込まれた新鮮な外気は、給気流として給気通路６を流れ熱交換器２の作動流体通路を通過して、給気用送風機３を経て給気通路６の室内側吹出口１０から室内へ吹き出される。春秋等の中間季や外気冷房をする場合には、ダンパー１４を動作させて、図４に示すように本体箱体１の開口部１３を開放させる。開口部１３を開放すると熱交換器２を経ない排気流が形成され、熱交換を伴わない普通換気が行なわれる。
【００１７】
この熱交換換気装置は、天井裏の空間にアンカーボルト等により吊り固定され、室内側吸込口１１以外の室内側吹出口１０、室外側吸込口９、室外側吹出口１２には図２，３に示すようにダクト１５が接続され、ダクト１５を介して室内や室外へ連絡される。室内側吸込口１１と開口部１３とは天井裏の空間に臨まされる。天井構造１６には、天井裏空間に通じる通風孔１７が設けられ、この通風孔１７を経て室内の空気が室内側吸込口１１や開口部１３に吸込まれることになる。このように、この熱交換換気装置は、ダクト配管が少なくてすみ、バイパス通路を本体箱体１内に構成する必要がないので本体の寸法を普通換気機能を備えたまま小さくすることができ、狭隘な天井裏の空間への施工性も改善される。また、熱交換器２等のメンテナンスが本体箱体１の両側から行なうことができるので、他の設備機器等によって一方のメンテナンス口８が使えなくても他方のメンテナンス口８を使うことができるのでメンテナンスに支障を来さない。
【００１８】
実施の形態２．
図５，６によって示すこの実施の形態２の熱交換換気装置は、天井裏に設けられてもその所在が明確になるようにして熱交換器等のメンテナンスをより容易に行ない得るようにする工夫を講じたものであり、これに係る構成以外は実施の形態１のものと同じである。従って、実施の形態１のものと同一部分は、実施の形態１のものと同一の符号を用いそれらの説明は省略する。
【００１９】
天井裏に設置された熱交換換気装置は、給排気場所と本体との位置が整合するわけではなく、その所在が明確ではなくなる。所在が不明確であると、メンテナンスが煩わしくなり、おろそかになり勝ちである。本実施の形態は、こうした問題点を解消する工夫を講じたもので、排気通路５の室内側吸込口１１を本体箱体１の下部に設け、この室内側吸込口１１から熱交換器２等を出し入れできるように構成したものである。
【００２０】
室内側吸込口１１は、本体箱体１の熱交換器２の排気流を通す作動流体通路の入口側が臨む下部に構成され、熱交換器２の長さより少し長い長辺と熱交換器２の幅寸法より少し広い短辺の風路構造１８として構成されている。風路構造１８は長さ調節が可能に構成され、天井構造１６にその開口端である室内側吸込口１１が臨まされ、室内側に装着されたグリル１９を介して室内の空気を吸込むことができる。こうした風路構造１８による室内側吸込口１１の構成を採ることにより、熱交換換気装置の位置と室内側吸込口１１の位置が符合することになり、室内側吸込口１１から熱交換器２を出し入れでき、容易に熱交換器２等のメンテナンスを行なうことができる。これ以外の構成及び機能は実施の形態１のものと同じである。
【００２１】
実施の形態３．
図７，８によって示すこの実施の形態３の熱交換換気装置は、実施の形態１で示した熱交換換気装置に、天井構造１６に通風孔１７が施工されていない建物に対しても対応できる工夫を講じたものであり、これに係る構成以外は実施の形態１のものと同じである。従って、実施の形態１のものと同一部分は、実施の形態１のものと同一の符号を用いそれらの説明は省略する。
【００２２】
天井構造１６に実施の形態１で示したような通風孔１７が無い場合には、室内側吸込口１１にもダクト１５を接続してダクト１５を介して室内空気を吸込むことになる。本実施の形態は、この室内側吸込口１１に接続されるダクト１５と、普通換気用の開口部１３とを本体箱体１の外部において連通させ得る着脱可能な風路構成部材２０を備えたものである。ただし、開口部１３を開閉するダンパー１４は、スライド式ではなく回動式のものを適用する。これにより、熱交換換気時には室内の空気をダクト１５を介して室内側吸込口１１から吸込むことができ、普通換気時には室内の空気をダクト１５と風路構成部材２０を介して開口部１３から吸込むことができるようになる。これ以外の構成及び機能は実施の形態１のものと同じである。
【００２３】
この熱交換換気装置では、天井構造１６に拘らず風路構成部材２０の係脱による対応により設置することが可能であり、設置に当り他の設備機器の吊りボルト等が風路構成部材２０の取付の邪魔になっても、図７や図８に示すような室内との連通の形態での対応によって容易に機能態を採ることができ、施工性が向上する。
【００２４】
実施の形態４．
図９，１０によって示すこの実施の形態４の熱交換換気装置は、実施の形態１で示した熱交換換気装置に、室内の空気を循環させるサーキュレータの機能を具備させたものであり、これに係る構成以外は実施の形態１のものと同じである。従って、実施の形態１のものと同一部分は、実施の形態１のものと同一の符号を用いそれらの説明は省略する。
【００２５】
本実施の形態４の熱交換換気装置は、実施の形態１で示した熱交換換気装置の本体箱体１の一側に、給気通路６の給気用送風機３と熱交換器２の作動流体通路の出口側との間の部分に通ずる第２の開口部２１を開設し、この第２の開口部２１にこれを開閉するスライド式のダンパー２２を設けたものである。第２の開口部２１は通常においてはダンパー２２により閉止している。ダンパー２２を動作させて第２の開口部２１を開放して給気用送風機３のみを運転させることにより、室内の空気が第２の開口部２１から給気通路６を経て給気用送風機３に吸込まれ、室内側吹出口１０からダクト１５を経て室内に吹出され、室内の空気を循環させることができる。室内側吹出口１０に接続するダクト１５の途中に図９に示すように、高性能フィルターや除湿器や加湿器等の空気質処理器２３を設けることにより、室内の空気質を改善する機能も備えさせることができる。熱交換換気機能や普通換気機能については実施の形態１のものと同様であり、小型で多機能な熱交換換気装置となる。なお、この構成は、実施の形態２，３で示したものにも適用することが可能である。
【００２６】
【発明の効果】
請求項１の発明によれば、機能を限定することなく熱交換換気装置を小型化することができ、ダクト配管も低減することができる。
【００２７】
請求項２の発明によれば、請求項１に係る前記効果とともにメンテナンス性が向上する。
【００２８】
請求項３の発明によれば、請求項１に係る前記効果とともにメンテナンス性が向上する。
【００２９】
請求項４の発明によれば、請求項１又は請求項２のいずれかに係る前記効果とともに建物の構造の差異にも対応でき、施工性が向上する。
【００３０】
請求項５の発明によれば、熱交換換気装置の機能の向上を図ることができる。
【００３１】
請求項６の発明によれば、請求項５に係る前記効果とともに、機能を限定することなく熱交換換気装置を小型化することができ、ダクト配管も低減することができる。
【図面の簡単な説明】
【図１】  実施の形態１の熱交換換気装置の構成を示す斜視図である。
【図２】  実施の形態１の熱交換換気装置の平断面図である。
【図３】  実施の形態１の熱交換換気装置の機能を示す側断面図である。
【図４】  実施の形態１の熱交換換気装置の機能を示す斜視図である。
【図５】  実施の形態２の熱交換換気装置の平断面図である。
【図６】  実施の形態２の熱交換換気装置の機能を示す側断面図である。
【図７】  実施の形態３の熱交換換気装置の平断面図である。
【図８】  実施の形態３の他の熱交換換気装置の平断面図である。
【図９】  実施の形態４の熱交換換気装置の平断面図である。
【図１０】  実施の形態４の熱交換換気装置の機能を示す側断面図である。
【図１１】  従来の熱交換換気装置の構成を示す平面構成図である。
【符号の説明】
１  本体箱体、  ２  熱交換器、  ３  給気用送風機、  ４  排気用送風機、５  排気通路、  ６  給気通路、  ７  小口、  ８  メンテナンス口、  １１室内側吸込口、  １３  開口部、  １４  ダンパー、  １８  風路構造、  ２０  風路構成部材、  ２１  第２の開口部、  ２２  ダンパー。
【図１】
0004390897.tif 000002
【図２】
0004390897.tif 000003
【図３】
0004390897.tif 000004
【図４】
0004390897.tif 000005
【図５】
0004390897.tif 000006
【図６】
0004390897.tif 000007
【図７】
0004390897.tif 000008
【図８】
0004390897.tif 000009
【図９】
0004390897.tif 000010
【図１０】
0004390897.tif 000011
【図１１】
0004390897.tif 000012